(57)【要約】【課題】用紙の着脱可能なノートやシステム手帳などのファイルの用紙束の留め付けは、用紙束に開孔しリング又は用紙の貫通材を用いている。そのため、使用上の不便さと、部品数が多くなるため生産上のコストが高い欠点がある。これを解決すべく差込式のファイル化用具が出願されているが、用紙の止めつけ方および保持方法が実用的でない。【解決手段】本発明は主にプラスチックの押出し成型により製作する用紙係止用具で、用紙束を束ねた集束クリップを用紙係止用具に係止することで脱落を防止する。用紙係止用具は、単一溝又は複数溝を形成する起立壁内側に設けた突起や押圧片が集束クリップの基部、斜片のいずれかを係止して集束クリップが脱落しないようにしている。集束クリップは、金属の薄板バネを用いて頂部が内側に押圧する略三角形の断面の用紙挟持部の上端に小さく外側に曲がる用紙のガイド片を延設したものを用いる。【選択図】図２
2008055876.tif 000002
【特許請求の範囲】
【請求項１】
交換可能な用紙束の係止方法において、底板と起立壁からなる単一溝又は複数溝を形成する用紙係止用具の溝に用紙束を束ねる集束クリップを「該溝に成形した係止形状または溝全体」で係止又は固定して用紙束を用紙係止用具に留め付ける方法。
【請求項２】
溝に集束クリップを係止する用紙係止用具において、溝を形成する起立壁の頂部又は基部に集束クリップの係止片、起立壁に凹み形状、起立壁の中央部に押圧片、底板に係止片のいずれかを設けた請求項１に用いる用紙係止用具。
【請求項３】
底板の両側から斜め内側に起立した斜片の頂部から外側に開いた用紙の差込ガイド片を延設した用紙束を挟持する金物において、「基部が略垂直に曲折した斜片、基部が内側に曲折した斜片、基部の一部が内側に凹んだ斜片、一部に開口部のある底板又は斜片、全体が内側に湾曲した斜片、斜片の基部の一部を曲折せず底板を延設した係止片、一部が外側に折れ曲がったフックを形成したガイド片」のいずれかを有する請求項１に用いる用紙束の集束クリップ。
【請求項４】
用紙係止用具に挟持して用いる集束クリップにおいて、底板の両側から起立する起立壁の頂部から内側下方へ斜片を延設し斜片間に用紙束を挟持する請求項１に用いる集束クリップ。
【請求項５】
交換可能な用紙束の係止方法において、底板と起立壁からなる単一溝又は複数溝を形成する用紙係止用具の「溝を形成する起立壁又は底板」と上部が外側に開くガイド片を頂部に延設した斜め内側に起立する斜片を対向させて一体成型し、ガイド片基部の最狭部を用紙束の挟持部分とした用紙係止用具。
【請求項６】
請求項２又は請求項５の用紙係止用具を複数連結して用いる用紙係止用具において、隣接する用紙係止用具の起立壁下端間に連結部を設け、使用時に連結部を中心に個々の用紙係止用具を回転させて用いる用紙係止用具。
【請求項７】
請求項２又は請求項５の用紙係止用具の外側の起立壁から延設してファイルカバーを一体成形したファイル。
【請求項８】
用紙係止用具の外側にファイルカバー差し込み溝を形成する起立壁を一体化した請求項２又は請求項５の用紙係止用具。
【発明の詳細な説明】
【技術分野】
【０００１】
ノート、システム手帳、スケッチブック、サンプル帳などのファイルに用いる着脱が可能な用紙の留付け用具、留め付けに用いる集束クリップおよび本留付け用具を用いるファイルに関するものである。
【背景技術】
【０００２】
リングの開閉や用紙の貫通桿により着脱する罫線紙や白紙、カレンダー、カタログなどの用紙は、必要時に必要な用紙等を随時取り換えられることや、使用者の意図に沿った用紙を選択できることの利点があるため多岐にわたり使用されている。
しかし、これらの用紙にはリング用開孔があるため、リングに合わせた用紙が必要になる、メーカーが用意したフォームに拘束される他、筆記時にはリングが邪魔になる、などの不便さがある。
一方、製造面では、ファイルの大きさごとに種類の異なるリングを必要とし、またファイルとカバーを取り付ける作業を必要とするなど生産性が悪い分コストが高い。
【０００３】
これらを解決すべく用紙の保持にリングを用いず、溝に用紙を差し込むだけで保持できるファイルが下記文献に記されている。
特許文献１の用紙の留付け方法は、断面四角形状の筒体の一壁を全長にスリットのある陥没壁面を設け、このスリットに用紙１枚から多枚数を差し込んで挟持するペーパークリップである。特許文献２はインナークリップの外側に類似形状のプラスチックの筒体を重ね合わせ、挟持力を強くして用紙の脱落を防止するものである。
【特許文献１】実願  昭５６１２５６４７
【特許文献２】実願  昭６３−６４４９６
【発明の開示】
【発明が解決しようとする課題】
【０００４】
用紙の保持でこれらに共通している問題点は、用紙の全長を挟持して筒体からの脱落を防止していることである。実施例によると用紙１枚から保持できるスリット幅と記載されているので、スリット幅はほぼ無いに等しい。この状態下で少数枚の用紙を差し込むと、スリットに隙間がないため用紙の押圧力だけでは筒体を変形させることが出来ない。仮に指でスリットを押したとしても押した周辺だけに隙間ができるだけなので、用紙の全長を差込むことは用紙の腰折れと共に自重で曲がることもあり極めて難しい。
【０００５】
一方、多数枚の場合は、用紙が多数枚になるほど筒体の用紙への押圧力が強くなり、スリットに接する用紙は差込部の摩擦抵抗で差込むことは困難である。保持力を増すため二重筒体にした特許文献２は押圧力が強い分更に差込が難しい。従って、この開示文献の用紙保持方法は、用紙の枚数に関係なく手間が掛かりすぎ実用性に欠ける欠点がある。
【課題を解決するための手段】
【０００６】
上記課題の解決方法に関して、用紙にリング等保持のための開孔をしないで、用紙の枚数にかかわらず着脱を容易にしかつ安定して保持するため、金属の薄板バネ材あるいはプラスチックの薄板の可撓性を利用した集束クリップで、用紙全長ではなく部分的に数カ所留付けた後、集束クリップを挟持する断面形状の用紙係止用具の溝に嵌合して係止する。
【０００７】
外すときは係止方法により異なるが、開口方向への引き抜き、長さ方向への引き抜き、溝壁に設けた切り欠き部に集束クリップを合わせて開口方向への引き抜き、により用紙係止用具から外す。尚、基本的な使用方法は、一部を除き用紙束を集束クリップではさんだものを用紙係止用具に差込む方法であるが、集束クリップを用紙係止用具の数箇所に固定しておけば、用紙束を集束クリップに差込んで使用することも可能である。
【発明の効果】
【０００８】
本用紙係止用具を用いたファイルや手帳に用いるときの用紙束の留め付けは、挟む用紙の大きさや枚数に相応する集束クリップの材料や保持力の種類を選択することにより適切なものとなる。また集束クリップの用紙係止用具への留め付けは溝に差込むだけであるが、集束クリップは用紙係止用具内部の係止部に確実に係止される。
従って、参考文献のような筒体に用紙を差込むときの用紙の折れ曲がりや意図しないときの用紙束の脱落はない。リングとの比較では、孔の開いた専用の用紙が不要となる他、筆記時においてはリングの突出部がないので記入のし辛さがなくなる。
【０００９】
また、挟持する用紙枚数は、集束クリップの許容枚数内で任意である。また強い挟持力が必要な用紙束の留め付けは、強いバネの集束クリップを専用の用具を用いることで、用紙を傷つけず簡単に着脱することが可能である。
【００１０】
従って、ファイル化が利用者で容易に出来る他、罫線紙や予定表など任意のフォームが、利用者がパソコンで用途に応じて自在にデザインしプリントアウトして使うことが可能になり、従来のような用意されたフォームに拘束されなくなる。用途においては、記入用紙だけでなく、写真の台紙、布地などのサンプル帳などへの利用が可能になる。
【００１１】
一方、生産面では、プラスチックまたは金属の押し出し成型のみで製作できることが大きな特徴で、従来のようにリングを必要としないので生産性が著しく向上しコストも大幅に削減できる。また、用紙係止用具とファイルカバーを一体成形するファイルにおいても、用紙係止用具を押し成形などにより連続成形した後必要長さに切断するだけなので、任意の大きさのファイルが安価に生産できる。
【発明を実施するための最良の形態】
【００１２】
上部に用紙束を差込むためのガイド片を有し、用紙束を挟持したとき枚数に応じて断面が略三角形から台形に変化する用紙挟持部からなる集束クリップと、集束クリップを着脱容易に嵌合係止する溝の一部に設けた係止部を形成した用紙係止用具と一体的に用いる。
集束クリップは、金属の薄板バネ又は硬質プラスチックの薄板からなり、用紙係止用具と嵌合係止する形状にした部分を有する。用紙を押圧する部分の間隔は、少数枚数を挟む集束クリップは左右の斜片を接触させ、多数枚の用紙束を挟持する集束クリップは左右の斜片間に隙間を設ける。
【００１３】
用紙係止用具は、主としてプラスチックを押出し成型するので、集束クリップと嵌合する係止部が全長に形成されるため、集束クリップの留め付けは任意の位置で可能である。用紙係止用具の長さはファイルの大きさに合わせて所望する長さに切断して用いる。集束クリップと用紙係止用具の溝幅は、用紙束を係止しながら強い力で引っ張ると集束クリップ及び用紙係止用具の変形により着脱できる差が好ましい。
【実施例】
【００１４】
図１は、集束クリップの種々の態様を示すものである。図１（ａ）は基本形といえるもので、底板４から対称に斜め内側に起立する斜片５からなる断面が略三角形をした用紙束の挟持部２の上部に用紙束を差込むガイド片３が延設されており、挟持する用紙の枚数に応じて、三角形頂部が開いて台形に変化して用紙束６を押圧しながら挟持する集束クリップ１である。
斜片５と底板４にまたがる開口部６は金属バネなどバネが強すぎる場合、用紙への押圧力を弱めながら用紙との接触長さを長くして保持力を高める場合に設けるものである。
【００１５】
図１（ｂ）は、図２（ａ）の用紙係止用具に対応し、斜片１０基部１１を曲折し曲折位置より下側の勾配を緩く、上側を急勾配にして斜片基部を用紙係止用具の係止部と嵌合できるようにした集束クリップ９である。
図１（ｃ）は、図２（ｅ）の用紙係止用具に対応し、用紙係止用具の係止部の凹みと嵌合させるため、斜片１３基部１４を垂直に曲折した集束クリップ１２である。
【００１６】
図１（ｄ）は、図２（ｂ）の用紙係止用具に対応し、用紙係止用具の係止部用突起と嵌合させるため斜片１６の嵌合位置に凹み１７を設けた集束クリップ１５である。
図１（ｅ）は、図２（ｃ）の用紙係止用具に対応し、用紙係止用具の押圧片と相応するように、基部２１から斜片２０全体を内側に湾曲させた集束クリップ１９である。
【００１７】
図１（ｆ）は、図２（ｅ）の用紙係止用具に対応し、ガイド片２３を内側に向けたもので、斜片２４は略垂直に起立している。斜片２４の基部２５の凸部２６及び中間部の凸部２７は、用紙係止用具の係止凹みに嵌合して係止または固定する。凸部を２段にしているのは、用紙係止用具の係止力を強くするもので、不要な場合は中間部の凸部は不要である。斜片及びガイド片２３の切削２８は、用紙束の押圧力を弱めるためのものである。
【００１８】
図１（ｇ）は、特開平８−２１３１１３１５に開示された集束クリップで、図２（ｅ）の用紙係止用具に対応し、用紙の挟持に略三角形の挟持部３７上部に設けたガイド片３４の両側に小さな突出部３５を設けたのが特徴で、専用用具を用いて突出部を開いて用紙束を挟持する。斜片３２基部３３に垂直部を設けて用紙係止用具の係止溝に嵌合して係止する。
【００１９】
図１（ｈ）は、図２（ｆ）の用紙係止用具に対応した集束クリップ３８で、斜片４０の基部の両端に切れ目を入れ外側に突出させ係止片４４としたものである。係止片４４は用紙係止用具の係止溝とがたつきをなくすため、小さな膨らみ４５又は切込みを設けて小さな山形バネを設ける。斜片４０から外側に延設したガイド片４１には一部が外側に折れ曲がったフック４２を設けているが、斜片４０を外側に開くときの用具を引っ掛けるためのものである。
【００２０】
図１（ｉ）は、図２（ｇ）の用紙係止用具に対応した集束クリップ４６で、集束クリップ４６の底板４７を延設し、両側を下方に折り曲げて係止片４８とした集束クリップ４６である。係止片４８は用紙係止用具の係止溝から集束クリップ４６が脱落しないように内側に向けて凸形状４９を先端に形成している。
【００２１】
図２は用紙係止用具の種々の態様を示す。図２（ａ）は、底板５１の両側から起立した起立壁５２の頂部に集束クリップの脱落を防止する係止片５３を設け、直下には集束クリップ５５に略許容限度まで用紙を挟んだときに広がるガイド片５７の先端位置に相応する凹み５４を設けた用紙係止用具５０である。
集束クリップ５５の着脱方法は、用紙係止用具５０の縁端から差込む方法の他に、係止片５３の数箇所を切削して起立壁５２の厚みとなる部分を設け、この位置から用紙束を挟持した集束クリップ５５を着脱し、用紙係止用具の溝内を所定の位置まで移動させて用いる。
【００２２】
図２（ｂ）は、起立壁６０基部に集束クリップ６４の底部６７の最大幅よりわずかに狭小幅等となる係止突起６１を底板５９から少し離れたところに設けて小さな凹み６３を成形し、凹み６３と斜片６６の基部６７が嵌合し、集束クリップ６４が溝から脱落するのを防止している。併せて、集束クリップ６４が挟持する用紙束が厚くなると斜片６６の底板６５との角度が大きくなり、斜片６６が係止突起６１と接触し広がり難くなるのを防止している。起立壁６０の頂部は、集束クリップ６４のガイド片６９が起立壁６０と接触しないように厚みを薄くしている。
【００２３】
図２（ｃ）は、起立壁７１内面に上下を基部とする押圧片７２を一体成形した用紙係止用具７０である。下側の押圧片７２は底板７５から集束クリップ７７の底部７８が嵌合する隙間７４を設けて基部とし、上側の押圧片７３は起立壁上部を基部とし、薄い厚みのプラスチックを湾曲状に成形したものである。押圧片７２，７３は、プラスチックの可撓性により集束クリップ７７の斜片７９と用紙束を押圧して集束クリップ７７を係止する。尚、押圧片は半硬質プラスチックであってもよい。
【００２４】
図２（ｄ）は、用紙係止用具の異なる態様で、底部８４が集束クリップ８５の底部８６外側形状と嵌合形状とし、上部は集束クリップより広い幅で、集束クリップ８５の用紙束挟持による形状変化に材料の可撓性により追従する用紙係止用具８０である。
厚みは変形しやすいように薄くしているが、用紙束の挟持部分の形状を保持するとともに一定以上の用紙束を挟持したとき集束クリップ８５を押圧する強度を有する。
【００２５】
起立壁８１の角度は、ある程度の用紙枚数を挟持した場合を想定し、集束クリップ８５が三角形状から許容限度まで用紙を挟み台形となる中間の角度で成形されている。用紙係止用具の頂部８２は集束クリップ８５のガイド片８７に相応した形状をしている、内側には薄い厚みの舌片８３を設けて集束クリップ８５の左右の振れを抑制する。
【００２６】
図２（ｅ）は、底板９０から起立した起立壁９１の基部及び中間部に小さな凹み９２を設け、集束クリップの凸部と嵌合係止して集束クリップの脱落を防止する用紙係止用具８９である。凹み９２，９３の数及び位置は使用する集束クリップの係止部位に合わせて成形する。
【００２７】
図２（ｆ）は、図１（ｈ）の集束クリップ３８のような側部に突き出た係止片４４を有する場合の用紙係止用具９５である。集束クリップの係止片に相応する位置に用紙係止用具９５の底板９６と起立壁９７に設けた係止片９８間に生ずる溝９９を形成した用紙係止用具９５である。
【００２８】
図２（ｇ）は、底板１０１に集束クリップを係止するための係止片１０３を底板１０１の中央部の脚１０４上に一体化し溝１０５を形成した用紙係止用具１００である。
溝１０５は、下方に突き出た係止片４８のある図１（ｉ）の集束クリップ４６のような金物を用いる場合に、相応する位置に設けて集束クリップ４６を係止する。本図では起立壁１０２間に２条の係止片１０３，１０３ａを設けた例である。
【００２９】
図３は異なる用紙係止用具の態様を示す。図３（ａ）は、図３（ｂ）、図３（ｃ）の用紙係止用具に対応した集束クリップ１０５で、下部の曲折部１０６から両側に湾曲した斜片１０７と上部にガイド片１０８を延設した集束クリップ１０５である。用紙束を挟持する斜片１０７とガイド片１０８の接合部の形状は、用紙係止用具の挟持部と略同形状に成形する。他の集束クリップが用紙係止用具の底板または起立壁に嵌合しているのに対し、本集束クリップは用紙係止用具の底板または起立壁から延設された斜片とガイド片に嵌合する。
【００３０】
図３（ｂ）は、底板１１１から内側に傾斜した斜片１１４を対向させ頂部にガイド片１１５を延設した用紙係止用具１１０である。ガイド片１１５と斜片１１４の接合部形状は、集束クリップを差込みやすいように僅かに隙間を設けている。起立壁１１２の頂部は、集束クリップを差込むとき大きく外側に広がるのでガイド片の頂部を低くしている。ガイド片１１５と斜片１１４は連続成型されているため、集束クリップは任意の場所に係止可能である。
【００３１】
図３（ｃ）は、図３（ｂ）の斜片の延設基点を起立壁１１８にした用紙係止用具１１７で、連続成型した斜片１１９とガイド片１２０の一部を残して切削したものである。その結果、図３（ａ）の集束クリップ１０５に用紙束を挟持したものを嵌合して係止する場合、集束クリップをガイド片１２０と斜片の切削部分に留め付けることにより、差込時の一時的な広がりを小さく出来るため、起立壁内にガイド片を納めることが可能になる。
又、挟持部が部分的であるため、集束クリップを用いず用紙束を直接ガイド片１２０から差込むことも可能である。尚、斜片とガイド片の切削は、図３（ｂ）の用紙係止用具においても可能で、図３（ｃ）においては、斜片とガイド片を切削せず使用することも可能である。
【００３２】
図４は、複数の同じ大きさの用紙係止用具を連結して用いる場合の連結方法に関するものである。用紙束が厚くなり分割して挟持する場合の方法として、複数の集束クリップを起立壁で仕切り一体にして用いる方法もあるが、用紙係止用具の厚みが大きくなり使い辛くなる。これを回避するため、用紙束ごとに用紙係止用具に挟持した用紙係止用具を連結することで用紙束を開いたときに厚みが薄くなり使い易くなる。
【００３３】
図４（ａ）は、２つの用紙係止用具の隣接する起立壁１２４，１２４ａの下端に折り曲げ自由な接合部１２５を設け、同起立壁１２４，１２４ａの頂部に用紙係止用具が開かないようにするための嵌合部１２６を設けた用紙係止用具１２１で、閉じた状態図である。接合部１２５は用紙係止用具の連続成型時に薄厚シート状にしている。尚、接合方法には、ヒンジや別部材によるシート状材を両用紙係止用具の底板に張る方法がある。
【００３４】
図４（ｂ）は、図４（ａ）の使用時の状態図である。接合部１２５を中心に用紙係止用具１２２，１２３が９０度回転し、用紙係止用具に挟持された用紙束は左右に倒れた状態になって、机上に置いたとき用紙が安定した状態となる。起立壁１２４，１２４ａ頂部の嵌合係止は、用紙係止用具１２２に凸形状１２７、用紙係止用具１２３に凹み形状１２８が成型されている。
【００３５】
図５は、用紙係止用具１３１とファイルカバー１３３を一体的に押し出し成型したファイル１３０である。起立壁１３２とファイルカバー１３３の接合部１３５は、折り曲げが可能なように薄肉としている。取り付け位置は起立壁１３２の下部に一体化したファイルカバー１３３ａなど任意である。用紙係止用具１３１には、図１（ｆ）の集束クリップ１３４を係止している。
【００３６】
図６は、用紙係止用具１３７にファイルカバーを後付けしたファイル１３６で、外側にファイルカバー１４０を取り付けるためのカバー取付け用起立壁１３９を一体成形している。図６（ｂ）は、ファイルカバー取付け用起立壁１３９は頂部に押圧片１４１を隙間内部に向けて延設した場合で、ファイルカバー１４０の差込部１４０ａを差し込んだ時に押圧片１４１がファイルカバー１４０を起立壁１３８に押し付ける作用をする。
【００３７】
一方、ファイルカバーの差し込み部１４０ａにも押圧片側に折り曲げ片を設けたり厚くすることにより、上部への抜けを防止できる。カバーを装着するときは、上からあるいは起立壁端部から差し込む。取り外すときは、長さ方向に引き抜くことで、多用途に合わせたファイルカバーに転用が可能である。
ファイルカバーを差し込んで使用する用紙係止用具は、用途に応じて使用者の好みのカバーにできるので機能性や意匠性を付加するなど用途拡大が自在となり、利便性の向上が図れる。
【００３８】
図７は、用紙係止用具を用いてファイル１４２にした一例で、ファイルカバー１４４の中央部に２条の溝のある用紙係止用具１４３を用いたものである。用紙係止用具１４３とファイルカバー１４４の留付けは、それぞれの材質が同一の場合は接着又は溶着で一体化し、材質が異なる場合は接着で一体化するのが望ましい。ファイルカバーは用紙係止用具の上端部を外側に折り曲げて用いる。
【産業上の利用可能性】
【００３９】
応用例１：従来のノート（罫線紙）や目的別罫線紙など、フォームをパソコンで作成してプリントアウトしてファイル化できるので、目的に合わせた自作のオリジナルのフォーマット用紙の利用が可能となる。また利用者自らが用紙束を束ねファイル化が出来るので、従来からあるリングを利用したシステム手帳やファイルは全て本用紙係止用具に置換利用が可能である。
応用例２：用紙係止用具は目的に合わせた所望の長さに切断してファイル化が可能なので、大型の写真帳、布地サンプル帳など多用途に利用できる。他には、新聞などの刊行物のファイル化にも利用可能である。
【図面の簡単な説明】
【００４０】
【図１】集束クリップの外観斜視図
【図２】用紙係止用具と集束クリップの係止部分斜視図
【図３】集束クリップの外観斜視図と用紙係止用具の部分拡大斜視図
【図４】用紙係止用具の連結部の部分斜視図
【図５】用紙係止用具とファイルカバーを一体成型したファイルの外観部分斜視図
【図６】用紙係止用具に差し込み部分のファイルカバーの部分拡大斜視図
【図７】用紙係止用具を取り付けたファイル外観部分斜視図
【符号の説明】
【００４１】
１：集束クリップ          ２：係止部            ３：ガイド片
４：底板                  ５：斜片              ６：用紙束
９：集束クリップ        １０：斜片            １２：集束クリップ
１５：集束クリップ        １５：斜片            １６：斜片
１７：凹み                １９：集束クリップ    ２２：集束クリップ
２３：ガイド片            ２４：斜片            ３１：集束クリップ
３８：集束クリップ        ４０：斜片            ４１：ガイド片
４２：フック              ４３：底板            ４４：係止片
４６：集束クリップ        ４７：底板            ４８：係止片
５０：用紙係止用具        ５１：底板            ５２：起立壁
５３：係止片              ５５：集束クリップ    ５７：ガイド片
５８：集束クリップ        ６０：起立壁          ６４：集束クリップ
６７：斜片基部            ７０：集束クリップ    ７１：起立壁
７３：押圧片              ７７：集束クリップ    ７８：底部
８０：集束クリップ        ８１：起立壁          ８５：集束クリップ
８９：用紙係止用具        ９２：凹み            ９３：凹み
９５：用紙係止用具        ９７：起立壁          ９８：係止片  
１００：用紙係止用具    １０１：底板          １０３：係止片
１０５：集束クリップ    １０８：ガイド片      １１０：用紙係止用具  
１１１：底板            １１４：斜片          １１５：ガイド片
１１７：用紙係止用具    １１９：斜片          １２０：ガイド片
１２１：用紙係止用具    １２２：用紙係止用具    １２３：用紙係止用具      
１２５：接合部
１３０：ファイル        １３１：用紙係止用具    １３３：ファイルカバー
１３６：ファイル        １３７：用紙係止用具    １３８：起立壁
１３９：ファイルカバー取付け用起立壁            １４０：ファイルカバー
１４２：ファイル        １４３：用紙係止用具    １４４：ファイルカバー
【図１】
2008055876.tif 000003
【図２】
2008055876.tif 000004
【図３】
2008055876.tif 000005
【図４】
2008055876.tif 000006
【図５】
2008055876.tif 000007
【図６】
2008055876.tif 000008
【図７】
2008055876.tif 000009
【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
交換可能な用紙束をファイル化する方法において、斜片上部を用紙束の挟持部とした断面が略三角形の薄板ばねからなる集束クリップで間隔を設けて用紙束の複数箇所を挟持し、該集束クリップの下部両側を係止する形状の起立壁を対向させて上部を開放にした溝型の用紙係止用具に用紙束を係止してファイル化する方法。
【請求項２】
請求項１の方法により、集束クリップで必要箇所を挟持した用紙束を用紙係止用具に係止したファイル。
【請求項３】
用紙係止用具において、下部内面に凹凸を形成した断面、上部より下部が外側に膨らんだ断面、中央部に押圧片を設けた断面、のいずれかの起立壁を対向させ上部を開放して下端部に底板を設け、起立壁が用紙束の挟持部を覆う請求項１の用紙係止用具。
【請求項４】
請求項３の用紙係止用具を複数連結して用いる用紙係止用具において、隣接する用紙係止用具の起立壁下端間に曲折自由な薄肉部またはヒンジからなる連結材を設け、使用時に連結材を中心に個々の用紙係止用具を回転させて用いる用紙係止用具。
【請求項５】
起立壁の外側に用紙係止用具下部を接合部とする起立壁を隙間を設けて一体化してファイルカバーの差し込み溝を形成した請求項３の用紙係止用具。
【請求項６】
集束クリップにおいて、斜片の「基部が底板に対し略垂直に曲折した斜片、基部が内側に曲折した斜片、基部の一部が内側に凹んだ斜片、一部に開口部のある底板又は斜片、全体が内側に湾曲した斜片」のいずれかを有する請求項１の集束クリップ。
【手続補正２】
【補正対象書類名】明細書
【補正対象項目名】全文
【補正方法】変更
【補正の内容】
【発明の詳細な説明】
【技術分野】
【０００１】
ノート、システム手帳、スケッチブック、サンプル帳などのファイルに用いる着脱が可能な用紙の留付け用具、留め付けに用いる集束クリップおよび本留付け用具を用いるファイルに関するものである。
【背景技術】
【０００２】
リングの開閉や用紙の貫通桿により着脱する罫線紙や白紙、カレンダー、カタログなどの用紙は、必要時に必要な用紙等を随時取り換えられることや、使用者の意図に沿った用紙を選択できることの利点があるため多岐にわたり使用されている。
しかし、これらの用紙にはリング用開孔があるため、リングに合わせた用紙が必要になる、メーカーが用意したフォームに拘束される他、筆記時にはリングが邪魔になる、などの不便さがある。
一方、製造面では、ファイルの大きさごとに種類の異なるリングを必要とし、またファイルとカバーを取り付ける作業を必要とするなど生産性が悪い分コストが高い。
【０００３】
これらを解決すべく用紙の保持にリングを用いず、溝に用紙を差し込むだけで保持できるファイルが下記文献に記されている。
特許文献１の用紙の留付け方法は、断面四角形状の筒体の一壁を全長にスリットのある陥没壁面を設け、このスリットに用紙１枚から多枚数を差し込んで挟持するペーパークリップである。特許文献２はインナークリップの外側に類似形状のプラスチックの筒体を重ね合わせ、挟持力を強くして用紙の脱落を防止するものである。
【特許文献１】実願  昭５９−１２５９４７
【特許文献２】実願  昭６３−６４４９６
【発明の開示】
【発明が解決しようとする課題】
【０００４】
用紙の保持でこれらに共通している問題点は、用紙の全長を挟持して筒体からの脱落を防止していることである。実施例によると用紙１枚から保持できるスリット幅と記載されているので、スリット幅はほぼ無いに等しい。この状態下で少数枚の用紙を差し込むと、スリットに隙間がないため用紙の押圧力だけでは筒体を変形させることが出来ない。仮に指でスリットを押したとしても押した周辺だけに隙間ができるだけなので、用紙の全長を差込むことは用紙の腰折れと共に自重で曲がることもあり極めて難しい。
【０００５】
一方、多数枚の場合は、用紙が多数枚になるほど筒体の用紙への押圧力が強くなり、スリットに接する用紙は差込部の摩擦抵抗で差込むことは困難である。保持力を増すため二重筒体にした特許文献２は押圧力が強い分更に差込が難しい。従って、この開示文献の用紙保持方法は、用紙の枚数に関係なく手間が掛かりすぎ実用性に欠ける欠点がある。
【課題を解決するための手段】
【０００６】
上記課題の解決方法に関して、用紙にリング等保持のための開孔をしないで、用紙の枚数にかかわらず着脱を容易にしかつ安定して保持するため、金属の薄板バネ材あるいはプラスチックの薄板の可撓性を利用した集束クリップで、用紙全長ではなく部分的に数カ所留付けた後、集束クリップを挟持する断面形状の用紙係止用具の溝に嵌合して係止する。外すときは、長さ方向への引き抜き、または溝壁に設けた切り欠き部に集束クリップを合わせて開口方向への摺動させて用紙係止用具から外す。
【発明の効果】
【０００７】
本用紙係止用具を用いたファイルや手帳に用いるときの用紙束の留め付けは、挟む用紙の大きさや枚数に相応して集束クリップの数や留付け位置を選択することにより適切なものとなる。また集束クリップの用紙係止用具への留め付けは溝に差込むだけであるが、集束クリップは用紙係止用具内部の係止部に確実に係止される。
従って、参考文献のような筒体に用紙を差込むときの用紙の折れ曲がりや意図しないときの用紙束の脱落はない。リングとの比較では、孔の開いた専用の用紙が不要となる他、筆記時においてはリングの突出部がないので記入のし辛さがなくなる。
【０００８】
また、挟持する用紙枚数は、集束クリップの許容枚数内で任意である。また強いバネの集束クリップが必要な場合は専用の用具を用いることで、用紙を傷つけず簡単に着脱することが可能である。
【０００９】
従って、ファイル化が利用者で容易に出来る他、罫線紙や予定表など任意のフォームが、利用者がパソコンで用途に応じて自在にデザインしプリントアウトして使うことが可能になり、従来のような用意されたフォームに拘束されなくなる。用途においては、記入用紙だけでなく、写真の台紙、布地などのサンプル帳などへの利用が可能になる。
【００１０】
一方、生産面では、プラスチックまたは金属の押し出し成型のみで製作できることが大きな特徴で、従来のようにリングを必要としないので生産性が著しく向上しコストも大幅に削減できる。また、用紙係止用具とファイルカバーを一体成形するファイルにおいては、用紙係止用具を押し成形などにより連続成形した後必要長さに切断するだけなので、任意の大きさのファイルが安価に生産できる。
【発明を実施するための最良の形態】
【００１１】
上部に用紙束を差込むためのガイド片を有し、用紙束を挟持したとき枚数に応じて断面が略三角形から台形に変化する用紙挟持部からなる集束クリップと、集束クリップを着脱容易に嵌合係止する溝状の係止部を形成した用紙係止用具と一体的に用いる。
集束クリップは、金属の薄板バネ又は硬質プラスチックの薄板からなり、用紙係止用具と嵌合係止する形状にした部分を有する。用紙を押圧する部分の間隔は、少数枚数を挟む集束クリップは左右の斜片を接触させ、多数枚の用紙束を挟持する集束クリップは左右の斜片間に隙間を設ける。
【００１２】
用紙係止用具は、主としてプラスチックを押出し成型するので、集束クリップと嵌合する係止部が全長に形成されるため、集束クリップの留め付けは任意の位置で可能である。用紙係止用具の長さはファイルの大きさに合わせて所望する長さに切断して用いる。集束クリップと用紙係止用具の溝幅は、用紙束を係止しながら強い力で引っ張ると集束クリップ及び用紙係止用具の変形により着脱できる差が好ましい。
【実施例】
【００１３】
図１は、集束クリップの種々の態様を示すものである。図１（ａ）は基本形で、底板４から対称に斜め内側に起立する斜片５からなる断面が略三角形をした用紙束の挟持部２の上部に用紙束を差込むガイド片３が延設されており、挟持する用紙の枚数に応じて、三角形頂部が開いて台形に変化して用紙束６を押圧部７で押圧しながら挟持する集束クリップ１である。
斜片５と底板４にまたがる開口部８は金属バネなどバネが強すぎる場合、用紙への押圧力を弱めながら用紙との接触長さを長くして保持力を高める場合に設けるものである。
【００１４】
図１（ｂ）は、図２（ａ）の用紙係止用具に対応し、斜片１０基部１１を曲折し曲折位置より下側の勾配を緩く、上側を急勾配にして斜片基部を用紙係止用具の係止部と嵌合できるようにした集束クリップ９である。
図１（ｃ）は、図２（ｄ）の用紙係止用具に対応し、用紙係止用具の係止部の凹みと嵌合させるため、斜片１３基部１４を底面に対し略垂直に曲折した集束クリップ１２である。
【００１５】
図１（ｄ）は、図２（ａ）の用紙係止用具に対応し用紙の挟持により集束クリップが開くときに、用紙係止用具の係止部用突起が接触しないようにするため斜片１６の嵌合位置に凹み１７を設けた集束クリップ１５である。
図１（ｅ）は、図２（ｂ）の用紙係止用具に対応し、用紙係止用具の押圧片と相応するように、基部２０から斜片１９全体を内側に湾曲させた集束クリップ１８である。
【００１６】
図１（ｆ）は、特開平０８−２６７９７５に開示された集束クリップで、図２（ｄ）の用紙係止用具に対応し、用紙の挟持に略三角形の挟持部２７上部に設けたガイド片２４の両側に小さな突出部２５を設けたのが特徴で、専用用具を用いて突出部を開いて用紙束を挟持する。斜片２２基部２３に垂直部を設けて用紙係止用具の係止溝に嵌合して係止する。
【００１７】
図２は用紙係止用具の種々の態様を示す。図２（ａ）は、起立壁３０基部に集束クリップ３４の底部３７の最大幅よりわずかに狭小幅等となる係止突起３１を底板２９から少し離れたところに設けて小さな凹み３３を成形し、凹み３３と斜片３６の基部３７が嵌合し、集束クリップ３４が溝から脱落するのを防止している。集束クリップ３４は図２(ｂ)または図２(ｄ)の集束クリップを用い、挟持する用紙束が厚くなると斜片３６の底板３５との角度が大きくなり、斜片３６が係止突起３１と接触し広がり難くなるのを防止している。起立壁３０の頂部は、集束クリップ３４のガイド片３９が起立壁３０と接触しないように厚みを薄くしている。
【００１８】
図２（ｂ）は、起立壁４１内面に上下を基部とする押圧片４２，４３を一体成形した用紙係止用具４０である。下側の押圧片４２は底板４５から集束クリップ４７の底部４８が嵌合する隙間４４を設けて基部とし、上側の押圧片４３は起立壁上部を基部とし、薄い厚みのプラスチックを湾曲状に成形したものである。押圧片４２，４３は、プラスチックの可撓性により集束クリップ４７の斜片４９と用紙束を押圧して集束クリップ４７を係止する。尚、押圧片は半硬質プラスチックであってもよい。
【００１９】
図２（ｃ）は、用紙係止用具の異なる態様で、底部５４が集束クリップ５５の底部５６外側形状と嵌合形状とし、上部は集束クリップより広い幅で、集束クリップ５５の用紙束挟持による形状変化に材料の可撓性により追従する用紙係止用具５０である。
厚みは変形しやすいように薄くしているが、用紙束の挟持部分の形状を保持するとともに一定以上の用紙束を挟持したとき集束クリップ５５を押圧する強度を有する。
【００２０】
起立壁５１の角度は、ある程度の用紙枚数を挟持した場合を想定し、集束クリップ５５が三角形状から許容限度まで用紙を挟み台形となる中間の角度で成形されている。用紙係止用具の頂部５２は集束クリップ５５のガイド片５７に相応した形状をしている、内側には薄い厚みの舌片５３を設けて集束クリップ５５の左右の振れを抑制する。
【００２１】
図２（ｄ）は、底板６０から起立した起立壁６１の基部に小さな凹み６２を設け、集束クリップの凸部と嵌合係止して集束クリップの脱落を防止する用紙係止用具５９である。凹み６２の位置は使用する集束クリップの係止部位に合わせて成形する。
【００２２】
図３は、複数の同じ大きさの用紙係止用具を連結して用いる場合の連結方法に関するものである。用紙束が厚くなり分割して挟持する場合の方法として、複数の集束クリップを起立壁で仕切り一体にして用いる方法もあるが、用紙係止用具の厚みが大きくなり使い辛くなる。これを回避するため、用紙束ごとに用紙係止用具に挟持した用紙係止用具を連結することで用紙束を開いたときに厚みが薄くなり使い易くなる。
【００２３】
図３（ａ）は、２つの用紙係止用具の隣接する起立壁６６，６６ａの下端に折り曲げ自由な接合部６７を設け、同起立壁６６，６６ａの頂部に用紙係止用具が開かないようにするための嵌合部６８を設けた用紙係止用具６３で、閉じた状態図である。接合部６７は用紙係止用具の連続成型時に薄厚シート状にしている。尚、接合方法には、ヒンジや別部材によるシート状材を両用紙係止用具の底板に張る方法がある。
【００２４】
図３（ｂ）は、図３（ａ）の使用時の状態図である。接合部６７を中心に用紙係止用具６４，６５がそれぞれ９０度回転し、用紙係止用具に挟持された用紙束は左右に倒れた状態になって、机上に置いたとき用紙が安定した状態となる。起立壁６６，６６ａ頂部の嵌合係止は、用紙係止用具６４に凸形状６９、用紙係止用具６５に凹み形状７０が成型されている。
【００２５】
図４は、用紙係止用具７２にファイルカバー７５を後付けしたファイル７１で、起立壁の外側にファイルカバー７５を取り付けるためのカバー取付け用起立壁７４を用紙係止用具７２の下部を接合部として一体成形している。図４（ｂ）は、ファイルカバー取付け用起立壁７４は頂部に押圧片７６を隙間内部に向けて延設した場合で、ファイルカバー７５の差込部７５ａを差し込んだ時に押圧片７６がファイルカバー７５を起立壁７３に押し付ける作用をする。
【００２６】
一方、ファイルカバー７５の差し込み部７５ａにも押圧片側に折り曲げ片を設けたり厚くすることにより、上部への抜けを防止できる。カバーを装着するときは、上からあるいは起立壁端部から差し込む。取り外すときは、長さ方向に引き抜くことで、多用途に合わせたファイルカバーに転用が可能である。
ファイルカバーを差し込んで使用する用紙係止用具は、用途に応じて使用者の好みのカバーにできるので機能性や意匠性を付加するなど用途拡大が自在となり、利便性の向上が図れる。
【００２７】
図５は、用紙係止用具７８の起立壁７９基部の集束クリップ係止用溝に用紙束８３を挟持した集束クリップ８４を嵌合し、用紙係止用具７８の頂部８０にファイルカバー８１を一体にしたもので曲折部８２を薄くして一体成型したファイル７７である。ファイルカバー８１の取り付け位置は起立壁７９の下部であってもよい。
【産業上の利用可能性】
【００２８】
応用例１：従来のノート（罫線紙）や目的別罫線紙など、フォームをパソコンで作成してプリントアウトしてファイル化できるので、目的に合わせた自作のオリジナルのフォーマット用紙の利用が可能となる。また利用者自らが用紙束を束ねファイル化が出来るので、従来からあるリングを利用したシステム手帳やファイルは全て本用紙係止用具に置換利用が可能である。
【図面の簡単な説明】
【００２９】
【図１】集束クリップの外観斜視図
【図２】用紙係止用具と集束クリップの係止部分斜視図
【図３】用紙係止用具の連結部の部分斜視図
【図４】ファイルカバーを差し込む部分の用紙係止用具の部分拡大斜視図
【図５】ファイルカバーと用紙係止用具を一体化し、用紙束を挟持してファイル化した部分外観斜視図
【符号の説明】
【００３０】
１：集束クリップ          ２：係止部            ３：ガイド片
４：底板                  ５：斜片              ６：用紙束
９：集束クリップ        １０：斜片            １２：集束クリップ
１３：斜片                １５：集束クリップ    １６：斜片
１７：凹み                １８：集束クリップ    ２１：集束クリップ
２８：用紙係止用具        ３０：起立壁          ３４：集束クリップ
３７：斜片基部            ４０：用紙係止用具    ４１：起立壁
４３：押圧片              ４７：集束クリップ    ４８：底部
５０：用紙係止用具        ５１：起立壁          ５５：集束クリップ
５９：用紙係止用具        ６２：凹み            
６４：用紙係止用具        ６５：用紙係止用具    ６７：接合部
７１：ファイル            ７２：用紙係止用具    ７３：起立壁
７４：ファイルカバー取付け用起立壁              ７５：ファイルカバー
７７：ファイル            ７８：用紙係止用具        ８１：ファイルカバー
８３：用紙束              ８４：集束クリップ
【手続補正３】
【補正対象書類名】図面
【補正対象項目名】全図
【補正方法】変更
【補正の内容】
【図１】
2008055876.tif 000010
【図２】
2008055876.tif 000011
【図３】
2008055876.tif 000012
【図４】
2008055876.tif 000013
【図５】
2008055876.tif 000014
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
開口部から挿入した用紙束の端部をバネ力によって挟持する断面形状が略三角形の板ばね集束クリップの左右一対の斜辺基部を係止する底板と起立壁からなる断面略Ｕ型の棒状の用紙係止用具であって、前記集束クリップの左右一対の斜片基部が嵌合して摺動する左右一対の凹みを前記起立壁に有していることを特徴とする用紙係止用具。
【請求項２】
請求項１に記載の用紙係止用具を２個ヒンジで並列状態に組み合わせてなる用紙係止用具。
【請求項３】
請求項１または請求項２記載の用紙係止用具がファイルカバーを差し込んで取り付ける溝を有していることを特徴とする用紙係止用具。
【請求項４】
請求項１または請求項２に記載の用紙係止用具がファイルカバーを一体成型していることを特徴とする用紙係止用具。
【手続補正２】
【補正対象書類名】明細書
【補正対象項目名】全文
【補正方法】変更
【補正の内容】
【発明の詳細な説明】
【技術分野】
【０００１】
ノート、システム手帳、スケッチブック、サンプル帳などのファイルに用いる着脱が可能な用紙の留め付けに用いる用紙係止用具に関するものである。
【背景技術】
【０００２】
リングの開閉や用紙の貫通桿により着脱する罫線紙や白紙、カレンダー、カタログなどの用紙は、必要時に必要な用紙等を随時取り換えられることや、使用者の意図に沿った用紙を選択できることの利点があるため多岐にわたり使用されている。しかし、これらの用紙にはリング用開孔があるため、リングに合わせた用紙が必要になる、メーカーが用意したフォームに拘束される他、筆記時にはリングが邪魔になる、などの不便さがある。一方、製造面では、ファイルの大きさごとに種類の異なるリングを必要とし、またファイルとカバーを取り付ける作業を必要とするなど生産性が悪い分コストが高い。
【０００３】
これらを解決すべく用紙の保持にリングを用いず、溝に用紙を差し込むだけで保持できるファイルが下記文献に記されている。
特許文献１の用紙の留付け方法は、断面四角形状の筒体の一壁を全長にスリットのある陥没壁面を設け、このスリットに用紙１枚から多枚数を差し込んで挟持するペーパークリップである。特許文献２はインナークリップの外側に類似形状のプラスチックの筒体を重ね合わせ、挟持力を強くして用紙の脱落を防止するものである。
【特許文献１】実願  昭５９−１２５９４７
【特許文献２】実願  昭６３−６４４９６
【発明の開示】
【発明が解決しようとする課題】
【０００４】
用紙の保持でこれらに共通している問題点は、用紙の全長を挟持して筒体からの脱落を防止していることである。実施例によると用紙１枚から保持できるスリット幅と記載されているので、スリット幅はほぼ無いに等しい。この状態下で少数枚の用紙を差し込むと、スリットに隙間がないため用紙の押圧力だけでは筒体を変形させることが出来ない。仮に指でスリットを押したとしても押した周辺だけに隙間ができるだけなので、用紙の全長を差込むことは用紙の腰折れと共に自重で曲がることもあり極めて難しい。
【０００５】
一方、多数枚の場合は、用紙が多数枚になるほど筒体の用紙への押圧力が強くなり、スリットに接する用紙は差込部の摩擦抵抗で差込むことは困難である。保持力を増すため二重筒体にした特許文献２は押圧力が強い分更に差込が難しい。従って、この開示文献の用紙保持方法は、用紙の枚数に関係なく手間が掛かりすぎ実用性に欠ける欠点がある。
【課題を解決するための手段】
【０００６】
上記課題の解決方法に関して、用紙の枚数にかかわらず着脱を容易にしかつ安定して保持するため、金属の薄板バネ材あるいはプラスチックの薄板の可撓性を利用した用紙束の挿入ガイド片を延設した断面略三角形の集束クリップで用紙の挟持側に間隔を設けて数カ所留付けた後、用紙係止用具の入隅部の凹みに嵌合して係止する。用紙係止用具は前記集束クリップの左右の斜片基部が摺動する左右一対の凹み溝を有する断面略Ｕ型の溝型材である。
【０００７】
外すときは、長さ方向への引き抜き、または用紙係止用具の起立壁に設けた切り欠き部に集束クリップを合わせて開口方向へ摺動させて用紙係止用具から外す。
【発明の効果】
【０００８】
請求項１に記載の発明によれば、用紙束を挟持した集束クリップは斜片基部が用紙係止用具の起立壁に設けた凹みに嵌合して摺動させるだけで所定位置に係止でき、また意図しない集束クリップの脱落が防止できる。
生産面においてプラスチックまたは金属の押し出し成型のみで製作できることが特徴で、従来のようにリングを必要としないので生産性が著しく向上しコストも大幅に削減できる。
【０００９】
請求項２に記載の発明によれば、用紙係止用具は、２つの用紙係止用具を開いて使用することにより、用紙に書き込みをする場合など安定した状態で使用することが出来る。
【００１０】
請求項３に記載の発明によれば、ファイルカバーを差し込んで使用する用紙係止用具は、用途に応じて使用者の好みのカバーにできるので機能性や意匠性を付加するなど用途拡大が自在となり、利便性の向上が図れる。
【００１１】
請求項４に記載の発明によれば、用紙係止用具とファイルカバーを一体に押出し成型により連続成形した後必要長さに切断するだけなので、任意の大きさのファイルが安価に生産できる。また、リングなどの別部品の取付けが不要なので従来のファイルに比べ安価に生産することが出来る。
【発明を実施するための最良の形態】
【００１２】
頂部に用紙束を差込むためのガイド片を有し、用紙束を挟持したとき枚数に応じて断面が略三角形から台形に変化する集束クリップと、集束クリップを着脱容易に嵌合係止する入隅部に凹み形状の係止部を形成した断面略Ｕ型の用紙係止用具と一体的に用いる。
集束クリップは、金属の薄板バネ又は硬質プラスチックの薄板を用い、ガイド片を有する斜片頂部を用紙束の挟持押圧部とし、断面が略三角形の左右一対の斜片基部が用紙係止用具と嵌合係止する形状である。用紙を押圧する部分の間隔は、少数枚数を挟む集束クリップは左右の斜片を接触させ、多数枚の用紙束を挟持する集束クリップは左右の斜片間に隙間を設ける。
【００１３】
用紙係止用具は、主としてプラスチックを押出し成型するので、集束クリップと嵌合する係止部が全長に形成されるため、集束クリップの留め付けは任意の位置で可能である。用紙係止用具の長さはファイルの大きさに合わせて所望する長さに切断して用いる。集束クリップと用紙係止用具の狭小部の溝幅は、係止した用紙束を係止しながら強い力で引っ張ると集束クリップが用紙係止用具から外れる差が好ましい。
【実施例】
【００１４】
図１は、集束クリップの種々の態様を示すものである。図１（ａ）は基本形で、底板４から対称に斜め内側に起立する斜片５からなる断面が略三角形をした用紙束の挟持部２の頂部から用紙束を差込むガイド片３が延設されており、挟持する用紙の枚数に応じて、三角形頂部が開いて台形に変化して用紙束６を押圧部７で押圧しながら挟持する集束クリップ１である。
斜片５と底板４にまたがる開口部８は金属バネなどバネが強すぎる場合、用紙への押圧力を弱めながら用紙との接触長さを長くして保持力を高める場合に設けるものである。
【００１５】
図１（ｂ）は、図２（ａ）の用紙係止用具に対応し、斜片１０基部１１を曲折し曲折位置より下側の勾配を緩く、上側を急勾配にして斜片基部を用紙係止用具の係止部と嵌合できるようにした集束クリップ９である。
図１（ｃ）は、図２（ｄ）の用紙係止用具に対応し、用紙係止用具の係止部の凹みと嵌合させるため、斜片１３基部１４を底面に対し垂直に曲折した集束クリップ１２である。
【００１６】
図１（ｄ）は、図２（ａ）の用紙係止用具に対応し、用紙係止用具の係止用突起と嵌合させるため斜片１６の嵌合位置に凹み１７を設けた集束クリップ１５である。
図１（ｅ）は、図２（ｂ）の用紙係止用具に対応し、用紙係止用具の押圧片と相応するように、基部２０から斜片１９全体を内側に湾曲させた集束クリップ１８である。
【００１７】
図１（ｆ）は、特開平０８−２６７９７５に開示された集束クリップで、図２（ｄ）の用紙係止用具に対応し、用紙の挟持に略三角形の挟持部２７頂部に設けたガイド片２４の両側に小さな突出部２５を設けたのが特徴で、専用用具を用いて突出部を開いて用紙束を挟持する。斜片２２基部２３に垂直部を設けて用紙係止用具の係止溝に嵌合して係止する。
【００１８】
図２は用紙係止用具の種々の態様を示す。図２（ａ）は、起立壁３０基部に集束クリップ３４の底部３７の最大幅よりわずかに狭小幅となる係止突起３１を底板２９から少し離れたところに設けて小さな凹み３３を成形し、凹み３３と斜片３６の基部３７が嵌合し、集束クリップ３４が溝から脱落するのを防止している。集束クリップ３４が挟持する用紙束が厚くなると斜片３６の底板３５との角度が大きくなり、斜片３６が係止突起３１と接触し広がり難くなるのを防止している。起立壁３０の頂部は、集束クリップ３４のガイド片３９が起立壁３０と接触しないように厚みを薄くしている。
【００１９】
図２（ｂ）は、起立壁４１内面に上下を基部とする押圧片４２，４３を一体成形した用紙係止用具４０である。下側の押圧片４２は底板４５から集束クリップ４７の底部４８が嵌合する凹み４４を設けている。上側の押圧片４３は起立壁上部を基部とし、薄い厚みのプラスチックを湾曲状に成形したものである。押圧片４２，４３は、プラスチックの可撓性により集束クリップ４７の斜片４９と用紙束を押圧して集束クリップ４７を係止する。尚、押圧片は半硬質プラスチックであってもよい。
【００２０】
図２（ｃ）は、用紙係止用具の異なる態様で、底部５４が集束クリップ５５の底部５６の外側形状と嵌合する形状とし、上部は集束クリップより広い幅で、集束クリップ５５の用紙束挟持による形状変化に材料の可撓性により追従する用紙係止用具５０である。
厚みは変形しやすいように薄くしているが、用紙束の挟持部分の形状を保持するとともに一定以上の用紙束を挟持したとき集束クリップ５５を押圧する強度を有する。
【００２１】
起立壁５１の角度は、ある程度の用紙枚数を挟持した場合を想定し、集束クリップ５５が三角形状から許容限度まで用紙を挟み台形となる中間の角度で成形されている。用紙係止用具の頂部５２は集束クリップ５５のガイド片５７に相応した形状をしている、内側には薄い厚みの舌片５３を設けて集束クリップ５５の左右の振れを抑制する。
【００２２】
図２（ｄ）は、底板６０から起立した起立壁６１の基部に小さな凹み６２を設け、集束クリップの基部と嵌合係止して集束クリップの脱落を防止する用紙係止用具５９である。
【００２３】
図３は、複数の同じ大きさの用紙係止用具を連結して用いる場合の連結方法に関するものである。用紙束が厚くなり分割して挟持する場合の方法として、複数の集束クリップを起立壁で仕切り一体にして用いる方法もあるが、用紙係止用具の厚みが大きくなり使い辛くなる。これを回避するため、用紙束ごとに用紙係止用具に挟持した用紙係止用具を連結することで用紙束を開いたときに厚みが薄くなり使い易くなる。
【００２４】
図３（ａ）は、２つの用紙係止用具の隣接する起立壁６６，６６ａの下端に折り曲げ自由な接合部６７を設け、同起立壁６６，６６ａの頂部に用紙係止用具が開かないようにするための嵌合部６８を設けた用紙係止用具６３で、閉じた状態図である。接合部６７は用紙係止用具の連続成型時に薄厚シート状にしている。尚、接合方法には、ヒンジや別部材によるシート状材を両用紙係止用具の底板に張る方法がある。
【００２５】
図３（ｂ）は、図３（ａ）の使用時の状態図である。接合部６７を中心に用紙係止用具６４，６５がそれぞれ９０度回転し、用紙係止用具に挟持された用紙束は左右に倒れた状態になって、机上に置いたとき用紙が安定した状態となる。起立壁６６，６６ａ頂部の嵌合係止は、用紙係止用具６４に凸形状６９、用紙係止用具６５に凹み形状７０が成型されている。
【００２６】
図４は、幅の異なる集束クリップを２列係止できる用紙係止用具７２にファイルカバー７５を後付けしたファイル７１で、起立壁の外側にファイルカバー７５を取り付けるためのカバー取付け用起立壁７４を用紙係止用具７２の下部を接合部として一体成形している。図４（ｂ）は、ファイルカバー取付け用起立壁７４は頂部に押圧片７６を隙間内部に向けて延設した場合で、ファイルカバー７５の差込部７５ａを差し込んだ時に押圧片７６がファイルカバー７５を起立壁７３に押し付ける作用をする。
【００２７】
一方、ファイルカバー７５の差し込み部７５ａにも押圧片側に折り曲げ片を設けたり厚くすることにより、上部への抜けを防止できる。カバーを装着するときは、上からあるいは起立壁端部から差し込む。取り外すときは、長さ方向に引き抜くことで、多用途に合わせたファイルカバーに転用が可能である。
【００２８】
図５は、用紙係止用具７８とファイルカバー８１を一体的に押し出し成型したファイル７７である。起立壁７９とファイルカバー８１の接合部８２は、折り曲げが可能なように薄肉としている。取り付け位置は起立壁７９の下部に一体化したファイルカバー８１ａなど任意である。
【産業上の利用可能性】
【００２９】
以上のように、本発明のファイル化方法によれば、集束クリップで用紙束を予め挟持したものを用紙係止用具に嵌合係止するため、クリップで留めた用紙の増加時などファイル化の必要性が生じたときに、そのまま用紙係止用具に嵌合できることや、システム手帳のようにスケジュールとメモ帳など異なる項目の用紙が必要な場合に、複数の用紙係止用具を一体化しものを用いることにより項目別に着脱できるので利便性のよいファイル用具を提供できる。
【図面の簡単な説明】
【００３０】
【図１】集束クリップの外観斜視図
【図２】用紙係止用具と集束クリップの係止部分斜視図
【図３】用紙係止用具の連結部の部分斜視図
【図４】ファイルカバーを差し込む部分の用紙係止用具の部分拡大斜視図
【図５】ファイルカバーと用紙係止用具を一体化した部分外観斜視図
【符号の説明】
【００３１】
１：集束クリップ          ２：係止部            ３：ガイド片
４：底板                  ５：斜片              ６：用紙束
９：集束クリップ        １０：斜片            １１：基部
１３：斜片                １５：集束クリップ    １６：斜片
１７：凹み                １８：集束クリップ    ２１：集束クリップ
２８：用紙係止用具        ３０：起立壁          ３４：集束クリップ
４０：用紙係止用具        ４１：起立壁          ４３：押圧片
４４：凹み                ４７：集束クリップ    ４８：底部
５０：用紙係止用具        ５１：起立壁          ５５：集束クリップ
５９：用紙係止用具        ６２：凹み            
６４：用紙係止用具        ６５：用紙係止用具    ６７：接合部
７１：ファイル            ７２：用紙係止用具    ７３：起立壁
７４：ファイルカバー取付け用起立壁              ７５：ファイルカバー
７７：ファイル            ７８：用紙係止用具    ８１：ファイルカバー
８３：用紙束              ８４：集束クリップ
【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
用紙束を挟持する断面形状が略三角形の板ばねからなる集束クリップの左右一対の斜辺基部を底板と起立壁の入り隅部に係止して用いる断面略Ｕ型の棒状の用紙係止用具において、底板から間隔を設けて長手方向に押圧片を設けた起立壁を底板の両側に一体成型したことを特徴とする用紙係止用具。
【請求項２】
請求項１に記載の用紙係止用具２体を並列にして起立壁下端をヒンジで接合していることを特徴とする用紙係止用具。
【請求項３】
請求項１または請求項２記載の用紙係止用具の外側にファイルカバーを差し込む溝を有していることを特徴とする用紙係止用具。
【請求項４】
請求項１または請求項２に記載の用紙係止用具の起立壁から延設してファイルカバーを一体成型していることを特徴とする用紙係止用具。
【手続補正２】
【補正対象書類名】明細書
【補正対象項目名】全文
【補正方法】変更
【補正の内容】
【発明の詳細な説明】
【技術分野】
【０００１】
ノート、システム手帳、スケッチブック、サンプル帳などのファイルに用いる着脱が可能な用紙の留め付けに用いる用紙係止用具に関するものである。
【背景技術】
【０００２】
リングの開閉や用紙の貫通桿により着脱する罫線紙や白紙、カレンダー、カタログなどの用紙は、必要時に必要な用紙等を随時取り換えられることや、使用者の意図に沿った用紙を選択できることの利点があるため多岐にわたり使用されている。しかし、これらの用紙にはリング用開孔があるため、リングに合わせた用紙が必要になる、メーカーが用意したフォームに拘束される他、筆記時にはリングが邪魔になる、などの不便さがある。一方、製造面では、ファイルの大きさごとに種類の異なるリングを必要とし、またファイルとカバーを取り付ける作業を必要とするなど生産性が悪い分コストが高い。
【０００３】
これらを解決すべく用紙の保持にリングを用いず、溝に用紙を差し込むだけで保持できるファイルが下記文献に記されている。
特許文献１の用紙の留付け方法は、断面四角形状の筒体の一壁を全長にスリットのある陥没壁面を設け、このスリットに用紙１枚から多枚数を差し込んで挟持するペーパークリップである。特許文献２はインナークリップの外側に類似形状のプラスチックの筒体を重ね合わせ、挟持力を強くして用紙の脱落を防止するものである。
【特許文献１】実願  昭５９−１２５９４７
【特許文献２】実願  昭６３−６４４９６
【発明の開示】
【発明が解決しようとする課題】
【０００４】
用紙の保持でこれらに共通している問題点は、用紙の全長を挟持して筒体からの脱落を防止していることである。実施例によると用紙１枚から保持できるスリット幅と記載されているので、スリット幅はほぼ無いに等しい。この状態下で少数枚の用紙を差し込むと、スリットに隙間がないため用紙の押圧力だけでは筒体を変形させることが出来ない。仮に指でスリットを押したとしても押した周辺だけに隙間ができるだけなので、用紙の全長を差込むことは用紙の腰折れと共に自重で曲がることもあり極めて難しい。
【０００５】
一方、多数枚の場合は、用紙が多数枚になるほど筒体の用紙への押圧力が強くなり、スリットに接する用紙は差込部の摩擦抵抗で差込むことは困難である。保持力を増すため二重筒体にした特許文献２は押圧力が強い分更に差込が難しい。従って、この開示文献の用紙保持方法は、用紙の枚数に関係なく手間が掛かりすぎ実用性に欠ける欠点がある。
【課題を解決するための手段】
【０００６】
上記課題の解決方法に関して、用紙の枚数にかかわらず着脱を容易にしかつ安定して保持するため、金属の薄板バネ材あるいはプラスチックの薄板の可撓性を利用した用紙束の挿入ガイド片を延設した断面略三角形の集束クリップで用紙の挟持側に間隔を設けて数カ所留付けた後、用紙係止用具の入隅部の凹みに嵌合して係止する。用紙係止用具は前記集束クリップの左右の斜片基部が摺動する左右一対の凹み形状を形成した断面略Ｕ型の溝型材である。
【０００７】
外すときは、長さ方向への引き抜き、または用紙係止用具の起立壁に設けた切り欠き部に集束クリップを合わせて開口方向へ摺動させて用紙係止用具から外す。
【発明の効果】
【０００８】
請求項１に記載の発明によれば、用紙束を挟持した集束クリップを用紙係止用具の起立壁に設けた押圧片の底板側に生じる凹みに嵌合して長さ方向に摺動させるだけで所定位置に係止でき、意図しない集束クリップの脱落を防止できる。また、起立壁の頂部は用紙束を開いたときに集束クリップだけでは折り曲げ難い用紙を直線状に折り曲げ易くする。
生産面においてプラスチックまたは金属の押し出し成型のみで製作できることが特徴で、従来のようにリングを必要としないので生産性が著しく向上しコストも大幅に削減できる。
【０００９】
請求項２に記載の発明によれば、使用時に２つの用紙係止用具を開いて使用することにより、用紙に書き込みをする場合、用紙束の厚みによる用紙の裏側の段差を解消できるため、安定した状態で使用することが出来る。
【００１０】
請求項３に記載の発明によれば、ファイルカバーを差し込んで使用する用紙係止用具は、用途に応じて使用者の好みのカバーにできるので機能性や意匠性を付加するなど用途拡大が自在となり、利便性の向上が図れる。
【００１１】
請求項４に記載の発明によれば、用紙係止用具とファイルカバーを一体に押出し成型により連続成形した後必要長さに切断するだけなので、任意の大きさのファイルが安価に生産できる。また、リングなどの別部品の取付けが不要なので従来のファイルに比べ安価に生産することが出来る。
【発明を実施するための最良の形態】
【００１２】
頂部に用紙束を差込むためのガイド片を有し、用紙束を挟持したとき枚数に応じて断面が略三角形から台形に変化する集束クリップと、集束クリップを着脱容易に嵌合係止する底板から起立する起立壁の基部に凹み形状を形成した断面略Ｕ型の用紙係止用具と一体的に用いる。
集束クリップは、金属の薄板バネ又は硬質プラスチックの薄板を用い、ガイド片を有する斜片頂部を用紙束の挟持押圧部とし、断面が略三角形の左右一対の斜片基部が用紙係止用具と嵌合係止する形状のものを用いる。
【００１３】
用紙係止用具は、主としてプラスチックを押出し成型するので、集束クリップと嵌合する係止部が全長に形成されるため、集束クリップの留め付けは任意の位置で可能である。用紙係止用具の長さはファイルの大きさに合わせて所望する長さに切断して用いる。集束クリップと用紙係止用具の狭小部の溝幅は、係止した用紙束を係止しながら強い力で引っ張ると集束クリップが用紙係止用具から外れる差が好ましい。
【実施例】
【００１４】
図１は、集束クリップの種々の態様を示すものである。図１（ａ）は基本形で、底板４から対称に斜め内側に起立する斜片５からなる断面が略三角形をした用紙束の挟持部２の頂部から用紙束を差込むガイド片３が延設されており、挟持する用紙の枚数に応じて、三角形頂部が開いて台形に変化して用紙束６を押圧部７で押圧しながら挟持する集束クリップ１である。
斜片５と底板４にまたがる開口部８は金属バネなどバネが強すぎる場合、用紙への押圧力を弱めながら用紙との接触長さを長くして保持力を高める場合に設けるものである。
【００１５】
図１（ｂ）は、図２（ａ）の用紙係止用具に対応し、斜片１０基部１１を曲折し曲折位置より下側の勾配を緩く、上側を急勾配にして斜片基部を用紙係止用具の係止部と嵌合できるようにした集束クリップ９である。
図１（ｃ）は、図２（ｄ）の用紙係止用具に対応し、用紙係止用具の係止部の凹みと嵌合させるため、斜片１３基部１４を底面に対し垂直に曲折した集束クリップ１２である。
【００１６】
図１（ｄ）は、図２（ａ）の用紙係止用具に対応し、用紙係止用具の係止用突起と嵌合させるため斜片１６の嵌合位置に凹み１７を設けた集束クリップ１５である。図１（ｅ）は、図２（ｂ）の用紙係止用具に対応し、用紙係止用具の押圧片と相応するように、基部２０から斜片１９全体を内側に湾曲させた集束クリップ１８である。
【００１７】
図１（ｆ）は、特開平０８−２６７９７５に開示された集束クリップで、図２（ｄ）の用紙係止用具に対応し、用紙の挟持に略三角形の挟持部２７頂部に設けたガイド片２４の両側に小さな突出部２５を設けたのが特徴で、専用用具を用いて突出部を開いて用紙束を挟持する。斜片２２基部２３に垂直部を設けて用紙係止用具の係止溝に嵌合して係止する。
【００１８】
図２は用紙係止用具の種々の態様を示す。図２（ａ）は、起立壁３０基部に集束クリップ３４の基部３７の最大幅よりわずかに狭小幅となる係止突起３１を底板２９から少し離れたところに設けて小さな凹み３３を成形し、凹み３３と斜片３６の基部３７が嵌合し、集束クリップ３４が溝から脱落するのを防止している。集束クリップ３４が挟持する用紙束が厚くなると斜片３６の底板３５との角度が大きくなり、斜片３６が係止突起３１と接触し広がり難くなるのを防止している。起立壁３０の頂部は、集束クリップ３４の高さと略同じであるためガイド片３９が起立壁３０と接触しないように厚みを薄くしている。
【００１９】
図２（ｂ）は、起立壁４１内面に上下を基部とする押圧片４２，４３を一体成形した用紙係止用具４０である。下側の押圧片４２は底板４５から集束クリップ４７の底部４８が嵌合する凹み４４を形成する。上側の押圧片４３は起立壁上部を基部とし、薄い厚みのプラスチックを湾曲状に成形したものである。押圧片４２，４３は、プラスチックの可撓性により集束クリップ４７の斜片４９と用紙束を押圧して集束クリップ４７を係止する。尚、押圧片は半硬質プラスチックであってもよい。
【００２０】
図２（ｃ）は、用紙係止用具の異なる態様で、底部５４が集束クリップ５５の底部５６の外側形状と嵌合する形状とし、上部は集束クリップより広い幅で、集束クリップ５５の用紙束挟持による形状変化に材料の可撓性により追従する用紙係止用具５０である。
厚みは変形しやすいように薄くしているが、用紙束の挟持部分の形状を保持するとともに一定以上の用紙束を挟持したとき集束クリップ５５を押圧する強度を有する。
【００２１】
起立壁５１の角度は、ある程度の用紙枚数を挟持した場合を想定し、集束クリップ５５が三角形状から許容限度まで用紙を挟み台形となる中間の角度で成形されている。用紙係止用具の頂部５２は集束クリップ５５のガイド片５７に相応した形状をしている、内側には薄い厚みの押圧片５３を設けて集束クリップ５５と用紙束の左右の振れを抑制する。
【００２２】
図２（ｄ）は、底板６０から起立した起立壁６１の基部の板厚を薄くして小さな凹み６２を形成し、集束クリップの斜辺基部と嵌合係止して集束クリップの脱落を防止する用紙係止用具５９である。
【００２３】
図３は、複数の同じ大きさの用紙係止用具を連結して用いる場合の連結方法に関するものである。用紙束が厚くなり分割して挟持する場合の方法として、複数の集束クリップを起立壁で仕切り一体にして用いる方法もあるが、用紙係止用具の厚みが大きくなり使い辛くなる。これを回避するため、用紙束ごとに用紙係止用具に挟持した用紙係止用具を連結することで用紙束を開いたときに厚みが薄くなり使い易くなる。
【００２４】
図３（ａ）は、２つの用紙係止用具の隣接する起立壁６６，６６ａの下端に折り曲げ自由な接合部６７を設け、同起立壁６６，６６ａの頂部に用紙係止用具が開かないようにするための嵌合部６８を設けた用紙係止用具６３で、閉じた状態図である。接合部６７は用紙係止用具の連続成型時にシート状にしている。尚、接合方法にはヒンジや別部材によるシート状材を両用紙係止用具の底板に張る方法がある。
【００２５】
図３（ｂ）は、図３（ａ）の使用時の状態図である。接合部６７を中心に用紙係止用具６４，６５がそれぞれ９０度回転し、用紙係止用具に挟持された用紙束は左右に倒れた状態になって、机上に置いたとき用紙が安定した状態となる。起立壁６６，６６ａ頂部の嵌合係止は、用紙係止用具６４に凸形状６９、用紙係止用具６５に凹み形状７０が成型されている。
【００２６】
図４は、幅の異なる集束クリップを２列係止できる用紙係止用具７２にファイルカバー７５を後付けしたファイル７１で、起立壁の外側にファイルカバー７５を取り付けるためのカバー取付け用起立壁７４を用紙係止用具７２の下部を接合部として一体成形している。
図４（ｂ）は、ファイルカバー取付け用起立壁７４は頂部に押圧片７６を隙間内部に向けて延設した場合で、ファイルカバー７５の差込部７５ａを差し込んだ時に押圧片７６がファイルカバー７５を起立壁７３に押し付ける作用をする。
【００２７】
一方、ファイルカバー７５の差し込み部７５ａにも押圧片側に折り曲げ片を設けたり厚くすることにより、上部への抜けを防止できる。カバーを装着するときは、上からあるいは起立壁端部から差し込む。取り外すときは、長さ方向に引き抜くことで、多用途に合わせたファイルカバーに転用が可能である。
【００２８】
図５は、用紙係止用具７８とファイルカバー８１を一体的に押し出し成型したファイル７７である。起立壁７９とファイルカバー８１の接合部８２は、折り曲げが可能なように薄肉としている。取り付け位置は起立壁７９の下部に一体化したファイルカバー８１ａなど任意である。
【産業上の利用可能性】
【００２９】
以上のように、本発明のファイル化方法によれば、集束クリップで用紙束を予め挟持したものを用紙係止用具に嵌合係止するため、クリップで留めた用紙の増加時などファイル化の必要性が生じたときに、そのまま用紙係止用具に嵌合できることや、システム手帳のようにスケジュールとメモ帳など異なる項目の用紙が必要な場合に、複数の用紙係止用具を一体化しものを用いることにより項目別に着脱できるので利便性のよいファイル用具を提供できる。
【図面の簡単な説明】
【００３０】
【図１】集束クリップの外観斜視図
【図２】用紙係止用具と集束クリップの係止部分斜視図
【図３】用紙係止用具の連結部の部分斜視図
【図４】ファイルカバーを差し込む部分の用紙係止用具の部分拡大斜視図
【図５】ファイルカバーと用紙係止用具を一体化した部分外観斜視図
【符号の説明】
【００３１】
１：集束クリップ          ２：係止部            ３：ガイド片
４：底板                  ５：斜片              ６：用紙束
９：集束クリップ        １０：斜片            １１：基部
１３：斜片                １５：集束クリップ    １６：斜片
１７：凹み                １８：集束クリップ    ２１：集束クリップ
２８：用紙係止用具        ３０：起立壁          ３４：集束クリップ
４０：用紙係止用具        ４１：起立壁          ４３：押圧片
４４：凹み                ４７：集束クリップ    ４８：底部
５０：用紙係止用具        ５１：起立壁          ５５：集束クリップ
５９：用紙係止用具        ６２：凹み            
６４：用紙係止用具        ６５：用紙係止用具    ６７：接合部
７１：ファイル            ７２：用紙係止用具    ７３：起立壁
７４：ファイルカバー取付け用起立壁              ７５：ファイルカバー
７７：ファイル            ７８：用紙係止用具    ８１：ファイルカバー
８３：用紙束              ８４：集束クリップ
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
先端が外側斜め上方に延設されたガイド片を有する底板の両側から斜め内側に立上る左右一対の斜片からなる断面略三角形の集束クリップと、底板から間隔を生じる位置の内面に突出した起立壁側に可撓する断面が舌片状の押圧片を有する起立壁を底板の両側から直交方向に一体成形した棒状の溝型材とで構成される用紙係止用具において、溝型材の底板と溝型材内側に突出した押圧片間に生じる凹み部に集束クリップの斜辺基部を嵌合係止させて用いる用紙係止用具。
【請求項２】
請求項１に記載の用紙係止用具２体を並列にして起立壁下端をヒンジで接合していることを特徴とする用紙係止用具。
【請求項３】
請求項１または請求項２記載の用紙係止用具の外側にファイルカバーを差し込む溝を有していることを特徴とする用紙係止用具。
【手続補正２】
【補正対象書類名】明細書
【補正対象項目名】全文
【補正方法】変更
【補正の内容】
【発明の詳細な説明】
【技術分野】
【０００１】
ノート、システム手帳、スケッチブック、サンプル帳などのファイルに用いる着脱が可能な用紙の留め付けに用いる用紙係止用具に関するものである。
【背景技術】
【０００２】
リングの開閉や用紙の貫通桿により着脱する罫線紙や白紙、カレンダー、カタログなどの用紙は、必要時に必要な用紙等を随時取り換えられることや、使用者の意図に沿った用紙を選択できることの利点があるため多岐にわたり使用されている。しかし、これらの用紙にはリング用開孔があるため、リングに合わせた用紙が必要になる、メーカーが用意したフォームに拘束される他、筆記時にはリングが邪魔になる、などの不便さがある。一方、製造面では、ファイルの大きさごとに種類の異なるリングを必要とし、またファイルとカバーを取り付ける作業を必要とするなど生産性が悪い分コストが高い。
【０００３】
これらを解決すべく用紙の保持にリングを用いず、溝に用紙を差し込むだけで保持できるファイルが下記文献に記されている。
特許文献１の用紙の留付け方法は、断面四角形状の筒体の一壁を全長にスリットのある陥没壁面を設け、このスリットに用紙１枚から多枚数を差し込んで挟持するペーパークリップである。特許文献２はインナークリップの外側に類似形状のプラスチックの筒体を重ね合わせ、挟持力を強くして用紙の脱落を防止するものである。
【特許文献１】実願  昭５９−１２５９４７
【特許文献２】実願  昭６３−６４４９６
【発明の開示】
【発明が解決しようとする課題】
【０００４】
用紙の保持でこれらに共通している問題点は、用紙の全長を挟持して筒体からの脱落を防止していることである。実施例によると用紙１枚から保持できるスリット幅と記載されているので、スリット幅はほぼ無いに等しい。この状態下で少数枚の用紙を差し込むと、スリットに隙間がないため用紙の押圧力だけでは筒体を変形させることが出来ない。仮に指でスリットを押したとしても押した周辺だけに隙間ができるだけなので、用紙の全長を差込むことは用紙の腰折れと共に自重で曲がることもあり極めて難しい。
【０００５】
一方、多数枚の場合は、用紙が多数枚になるほど筒体の用紙への押圧力が強くなり、スリットに接する用紙は差込部の摩擦抵抗で差込むことは困難である。保持力を増すため二重筒体にした特許文献２は押圧力が強い分更に差込が難しい。従って、この開示文献の用紙保持方法は、用紙の枚数に関係なく手間が掛かりすぎ実用性に欠ける欠点がある。
【課題を解決するための手段】
【０００６】
上記課題の解決方法に関して、用紙の枚数にかかわらず着脱を容易にしかつ安定して保持するため、金属の薄板バネ材あるいはプラスチックの薄板の可撓性を利用した用紙束の挿入ガイド片を延設した断面略三角形の集束クリップで用紙の挟持側に間隔を設けて数カ所留付けた後、溝型材の入隅部の凹みに集束クリップの左右の斜片基部を嵌合して係止する。 
【発明の効果】
【０００７】
請求項１に記載の発明によれば、用紙束を挟持した集束クリップを用紙係止用具の起立壁に設けた押圧片と底板間に生じる凹みに嵌合して長さ方向に摺動させるだけで所定位置に係止でき、意図しない集束クリップの脱落を防止する。また、押圧片は集束クリップに集束された用紙束を両側から弱い力で押圧するので、溝型材内でがたつくのを防止する。起立壁の頂部は用紙束を開いたときに集束クリップだけでは折り曲げ難い用紙を直線状に折り曲げ易くする。
【０００８】
外すときは、長さ方向への引き抜き、または押圧片に切り欠き部を設けておくことにより、切り欠き部に集束クリップを合わせて開口方向へ摺動させて用紙係止用具から外す。生産面においては、プラスチックの押し出し成型で製作できるので、従来のようにリングを必要としないので生産性が著しく向上しコストも大幅に削減できる。
【０００９】
請求項２に記載の発明によれば、使用時に２つの用紙係止用具を開いて使用することにより、用紙への書き込み時に用紙の裏側の段差を解消できるため、安定した状態で使用することが出来る。
【００１０】
請求項３に記載の発明によれば、ファイルカバーを差し込んで使用する用紙係止用具は、用途に応じて使用者の好みのカバーにできるので機能性や意匠性を付加するなど用途拡大が自在となり、利便性の向上が図れる。
【発明を実施するための最良の形態】
【００１１】
本用紙係止用具は、先端が外側斜め上方に延設されたガイド片を有する底板の両側から斜め内側に立上る左右一対の斜片からなる断面略三角形の集束クリップと、底板から間隔を生じる位置の内面に突出した起立壁側に可撓する断面が舌片状の押圧片を有する起立壁を底板の両側から直交方向に一体成形した棒状の溝型材とで構成される用紙係止用具であって、溝型材の底板と溝型材内側に突出した押圧片間に生じる凹み部に集束クリップの斜辺基部を嵌合係止させて用いる。
【００１２】
集束クリップは、金属の薄板バネ又は硬質プラスチックの薄板を用い、ガイド片を有する斜片頂部が用紙束を挟持押圧し保持する。
【００１３】
溝型材は、底板と押圧片間に生じる凹み形状部が全長に形成されるため、集束クリップの係止は任意の位置で可能である。溝型材の長さは用紙束の大きさに合わせて所望する長さに切断して用いる。集束クリップと溝型材の左右の押圧片間の幅は、係止した用紙束を保持するとともに、強い力で引っ張ると押圧片が変形し集束クリップが用紙係止用具から外れる差が好ましい。
【実施例】
【００１４】
図１は、集束クリップの種々の態様を示すものである。図１（ａ）は基本形で、底板４から対称に斜め内側に起立する斜片５からなる断面が略三角形をした用紙束の挟持部２の頂部から用紙束を差込むガイド片３が延設されており、挟持する用紙の枚数に応じて、三角形頂部が開いて台形に変化して用紙束６を押圧部７で押圧しながら挟持する集束クリップ１である。
斜片５と底板４にまたがる開口部８は金属バネなどバネが強すぎる場合、用紙への押圧力を弱めながら用紙との接触長さを長くして保持力を高める場合に設けるものである。
【００１５】
図１（ｂ）は、溝型材の押圧片と接触面積が広くなるように斜片１０基部１１から斜片１０全体を内側に湾曲させた集束クリップ９である。尚、斜片全体を湾曲させる代わりに斜片基部を緩勾配とし上部の勾配を急勾配にしてもよい。
【００１６】
図１（ｃ）は、特開平０８−２３７９４５に開示された集束クリップ１２で、用紙の挟持に略三角形の挟持部１７頂部に設けたガイド片１５の両側に小さな突出部１６を設けたのが特徴で、専用用具を用いて突出部を開いて用紙束を挟持する。形状は斜片１３基部１４に底板に対し小さな垂直部を設けた態様である。
【００１７】
図２は、用紙束を挟持した集束クリップ２７の係止により起立壁側に可撓する溝内側に突出した舌片状の押圧片２２，２３を底板２５と間隔を設けて長手方向に一体化した起立壁２１を、底板２５の両側から直交方向に一体成形した溝型材２０に、底板２５と押圧片２２間に生じる凹み部２４に斜辺基部２８が嵌合係止する該集束クリップ２７を一体にして用いる用紙係止用具１９である。
【００１８】
下側の押圧片２２は底板２５から間隔を設けて起立壁２１基部から上側に向けて成形してあり、底板２５とは集束クリップ２７の基部２８が嵌合する凹み２４を形成する。上側の押圧片２３は起立壁上部を基部とし、下方に向けて成形したものである。押圧片２２，２３は、プラスチックの可撓性により集束クリップ２７の斜片２９と用紙束を押圧しながら係止する。起立壁は係止時に集束クリップの高さと略同じになる高さである。尚、押圧片は半硬質プラスチックであってもよい。
【００１９】
図３は、複数の同じ大きさの用紙係止用具を連結して用いる場合の連結方法に関するものである。用紙束が厚くなり分割して挟持する場合の方法として、複数の集束クリップを起立壁で仕切り一体にして用いる方法もあるが、用紙係止用具の厚みが大きくなり使い辛くなる。これを回避するため、用紙束ごとに挟持した溝型材を連結することで用紙束を開いたときに厚みを薄くして使い易くするものである。
【００２０】
図３（ａ）は、２つの溝型材の隣接する起立壁３６，３６ａの下端に折り曲げ自由な接合部３７を設け、同起立壁３６，３６ａの頂部に溝型材が開かないようにするための嵌合部３８を設けた用紙係止用具３３で、閉じた状態図である。接合部３７は溝型材の連続成型時にシート状にしている。尚、接合方法にはヒンジや別部材によるシート状材を両溝型材の底板に張る方法がある。
【００２１】
図３（ｂ）は、図３（ａ）の使用時の状態図である。接合部３７を中心に溝型材３４，３５がそれぞれ９０度回転し、溝型材に挟持された用紙束は左右に倒れた状態になって、机上に置いたとき用紙が安定した状態となる。起立壁３６，３６ａ頂部の嵌合係止は、溝型材３４に凸形状３９、溝型材３５に凹み形状４０が成型されている。
【００２２】
図４は、幅の異なる集束クリップを２列係止できる溝型材４２にファイルカバー４５を後付けしたファイル４１で、起立壁の外側にファイルカバー４５を取り付けるためのカバー取付け用起立壁４４を溝型材４２の下部を接合部として一体成形した用紙係止用具である。
図４（ｂ）は、ファイルカバー取付け用起立壁４４は頂部に押圧片４６を隙間内部に向けて延設した場合で、ファイルカバー４５の差込部４５ａを差し込んだ時に押圧片４６がファイルカバー４５を起立壁４３に押し付ける作用をする。
【００２３】
一方、ファイルカバー４５の差し込み部４５ａにも押圧片側に折り曲げ片を設けたり厚くすることにより、上部への抜けを防止できる。カバーを装着するときは、上からあるいは起立壁端部から差し込む。取り外すときは、長さ方向に引き抜くことで、多用途に合わせたファイルカバーに転用が可能である。
【産業上の利用可能性】
【００２４】
以上のように、本発明の用紙係止用具によれば、集束クリップで用紙束を予め挟持したものを溝型材に嵌合係止するため、集束クリップで留めた用紙の増加時などファイル化の必要性が生じたときに、そのまま溝型材に嵌合できることや、システム手帳のようにスケジュールとメモ帳など異なる項目の用紙が必要な場合に、複数の溝型材を一体化したものを用いることにより項目別に着脱できるので利便性のよいファイル用具を提供できる。
【図面の簡単な説明】
【００２５】
【図１】集束クリップの外観斜視図
【図２】溝型材と集束クリップの係止部分斜視図
【図３】溝型材の連結部の部分斜視図
【図４】ファイルカバーを差し込む部分の溝型材の部分拡大斜視図
【符号の説明】
【００２６】
１：集束クリップ          ２：挟持部            ３：ガイド片
４：底板                  ５：斜片              ６：用紙束
９：集束クリップ        １０：斜片            １１：斜片基部  
１２：集束クリップ        １３：斜片            １５：ガイド片
１６：突出部              １７：挟持部          １９：用紙係止用具
２０：溝型材              ２１：起立壁          ２２：押圧片
２３：押圧片              ２４：凹み            ２７：集束クリップ
２８：斜片基部            ２９：斜片            ３３：用紙係止用具
３４：溝型材              ３５：溝型材          ３７：接合部
４１：ファイル            ４２：溝型材          ４３：起立壁
４４：ファイルカバー取付け用起立壁              ４５：ファイルカバー
【手続補正書】
【提出日】平成19年7月11日(2007.7.11)
【手続補正１】
【補正対象書類名】図面
【補正対象項目名】全図
【補正方法】変更
【補正の内容】
【図１】
2008055876.tif 000015
【図２】
2008055876.tif 000016
【図３】
2008055876.tif 000017
【図４】
2008055876.tif 000018